(57)【要約】【課題】物品に収納袋が装着されるまで物品の嵩張りを確実に規制し続け、物品が収納袋の開口に引っ掛かることなく装着することができる物品用収納袋装着装置を提供する。【解決手段】物品である折畳傘１１に収納袋である傘袋１２を装着させる物品用収納袋装着装置は、傘袋１２を収容し、上部の物品である折畳傘１１の導入部２１と側部の折畳傘１１の取出部２２とが連続的に設けられる本体２０と、導入部２１から導入された折畳傘１１の先端が当接して付勢することにより、回動し、傘袋１２の開口１２１を開放する開放操作部材３０と、開放操作部材３０の取出部２２側に立設される回動可能な羽板３３と、開放操作部材３０の取出部２２側と逆側に立設される規制板３４とを有し、折畳傘１１の導入経路上の羽板３３と規制板３４との間の少なくとも最短距離を傘袋の開口の幅よりも小さく設定する。【選択図】図２
2012020753.tif 000002
【特許請求の範囲】
【請求項１】
物品に収納袋を装着させる物品用収納袋装着装置であって、
前記収納袋を収容し、上部の前記物品の導入部と側部の前記物品の取出部とが連続的に設けられる本体と、
前記導入部から導入された前記物品の一部が当接して付勢することにより、回動し、前記収納袋の開口を開放する開放操作部材と、
前記開放操作部材の前記取出部側に立設される回動可能な羽板と、
前記開放操作部材の前記取出部側と逆側に立設される規制板と、
を有し、
前記物品の導入経路上の前記羽板と前記規制板との間の少なくとも最短距離が前記収納袋の開口の幅よりも小さく設定されていることを特徴とする物品用収納袋装着装置。
【請求項２】
前記開放操作部材が、前記物品の一部が当接して付勢することにより回動する回転板を有し、
前記羽板の軸部が前記回転板上で軸支して設けられることを特徴とする請求項１記載の物品用収納袋装着装置。
【請求項３】
前記取出部側に回動した状態における前記羽板の軸部の上面と前記回転板の上面との距離を３０ｍｍ以下とすることを特徴とする請求項２記載の物品用収納袋装着装置。
【請求項４】
前記取出部側に回動した状態における前記羽板の軸部の下面と前記回転板の上面との距離を３ｍｍ以下とすることを特徴とする請求項２又は３記載の物品用収納袋装着装置。
【請求項５】
回動した前記開放操作部材を回動前の状態に復元するコイルばねを有し、
前記コイルばねのコイル部同士間が相互に離間していることを特徴とする請求項１〜４の何れかに記載の物品用収納袋装着装置。
【請求項６】
前記本体内に収容された前記収納袋の開口を垂直方向から１０°以上１５°以下傾斜させて付勢する付勢ばねを有することを特徴とする請求項１〜５の何れかに記載の物品用収納袋装着装置。
【請求項７】
前記開放操作部材と前記羽板と前記規制板とから構成される収納袋装着部が、前記本体に着脱可能に固定されることを特徴とする請求項１〜６の何れかに記載の物品用収納袋装着装置。
【発明の詳細な説明】
【技術分野】
【０００１】
本発明は、物品に収納袋を装着させる物品用収納袋装着装置、例えばホテルや店舗等の入口に設置され、雨天時に濡れた折畳傘に傘袋を装着させる折畳傘用傘袋装着装置に関する。
【背景技術】
【０００２】
従来、雨天時に濡れた折畳傘に傘袋を装着させる装置として特許文献１の装置がある。特許文献１の装置は、略矩形の導入口を広く開口し、導入口から下方に向かって内側に傾斜するテーパ面を四方に設け、前記テーパ面で折畳傘を漸次窄めて傘袋を装着させるものである。特許文献１の装置を使用する際には、利用者は導入口から折畳傘を入れ、柄の先端を押し込むようにして本体深くに入り込ませると共に、折畳傘から一旦手を離し、傘袋に収納された折畳傘を前部カバー下側の取出口から取り出すことになる。
【０００３】
そこで、特許文献２の装置は、折畳傘の導入部と取出部を連続させ、開放操作部材に折畳傘の嵩張りを規制する羽体を立設し、羽体を折畳傘の取出部側に回動可能とし、且つ前記回動状態から弾性復帰可能としたものである。特許文献２の装置を使用する際には、利用者は折畳傘の柄を持ち続けながら折畳傘を傘袋に収納できると共に、利用者は楽な姿勢のまま傘袋に収納された折畳傘を取り出すことができる。
【先行技術文献】
【特許文献】
【０００４】
【特許文献１】特開２００６−１５１４０１号公報
【特許文献２】特開２００８−２４７４７５号公報
【発明の概要】
【発明が解決しようとする課題】
【０００５】
しかしながら、特許文献２の装置を使用し、折畳傘を傘袋に収納する際、羽板が取出部側に回動し、折畳傘の嵩張りの規制が不十分となるため、嵩張った折畳傘が傘袋の開口に引っ掛かることとなり、折畳傘が傘袋内へ完全に収納できず、利用者が折畳傘を傘袋内に収納し直さなければならないという不具合が生じる。
【０００６】
本発明は上記課題に鑑み提案するものであって、物品に収納袋が装着されるまで物品の嵩張りを規制し続けることにより、物品が収納袋の開口に引っ掛かることがなく、利用者が収納袋を装着し直す必要が無い物品用収納袋装着装置を提供することを目的とする。
【課題を解決するための手段】
【０００７】
本発明の物品用収納袋装着装置は、物品に収納袋を装着させる物品用収納袋装着装置であって、前記収納袋を収容し、上部の前記物品の導入部と側部の前記物品の取出部とが連続的に設けられる本体と、前記導入部から導入された前記物品の一部が当接して付勢することにより、回動し、前記収納袋の開口を開放する開放操作部材と、前記開放操作部材の前記取出部側に立設される回動可能な羽板と、前記開放操作部材の前記取出部側と逆側に立設される規制板とを有し、前記物品の導入経路上の前記羽板と前記規制板との間の少なくとも最短距離が前記収納袋の開口の幅よりも小さく設定されていることを特徴とする。前記最短距離は、例えば羽板の軸部と規制板との水平方向の距離等とすることが可能である。
この構成により、物品に収納袋が装着されるまで物品の嵩張りを規制し続けることができ、嵩張った物品が収納袋の開口に引っ掛かることなく収納袋を装着することが可能となる。また、収納袋が装着された物品を利用者が取り出す際、煩雑な作業を要することがない。
【０００８】
また、本発明の物品用収納袋装着装置は、前記開放操作部材が、前記物品の一部が当接して付勢することにより回動する回転板を有し、前記羽板の軸部が前記回転板上で軸支して設けられることを特徴とする。
この構成により、簡単な構成で、羽板の軸部がガイド部として、物品に収納袋が装着されるまで収納袋の嵩張りを規制することができる。即ち、羽板の軸部の位置を調整し、羽板と規制板との間の距離を所要距離に簡単に調整することができる。また、羽板の軸部を回転板上に設けることにより、軸部に不具合が生じた場合のメンテナンスが容易となる。
【０００９】
また、本発明の物品用収納袋装着装置は、前記取出部側に回動した状態における前記羽板の軸部の上面と前記回転板の上面との距離を３０ｍｍ以下とすることを特徴とする。
この構成によれば、羽板の軸部の上面と回転板の上面との距離を３０ｍｍ以下と短くすることで、収納袋が装着された物品を取出部から取り出す際に、羽板が引っかかって邪魔になることを防止することができ、収納袋が装着された物品のスムーズな取り出しを確保することができる。
【００１０】
また、本発明の物品用収納袋装着装置は、前記取出部側に回動した状態における前記羽板の軸部の下面と前記回転板の上面との距離を３ｍｍ以下とすることを特徴とする。
この構成によれば、羽板の軸部の下面と前記回転板の上面との距離を３ｍｍ以下と短くする或いは無くすことで、羽板の軸部と回転板との間隙に利用者の指や物品の各部が挟まれることを防止することができる。
【００１１】
また、本発明の物品用収納袋装着装置は、回動した前記開放操作部材を回動前の状態に復元するコイルばねを有し、前記コイルばねのコイル部同士間が相互に離間していることを特徴とする。
この構成により、開放操作部材の回動、又は回動前の状態に復元する際にコイル部同士間の摩擦を低減することができ、コイルばねの耐久性を向上させることが可能となると共に、開放操作部材の回動や復元動作をより一層スムーズにすることができる。
【００１２】
また、本発明の物品用収納袋装着装置は、前記本体内に収容された前記収納袋の開口を垂直方向から１０°以上１５°以下傾斜させて付勢する付勢ばねを有することを特徴とする。
この構成により、開放操作部材が本体内に収容した収納袋を確実に開放可能な角度で当接できるため、本体内に収容した収納袋の最後の一枚まで滑らかに開放することが可能となる。
【００１３】
また、本発明の物品用収納袋装着装置は、前記開放操作部材と前記羽板と前記規制板とから構成される収納袋装着部が、前記本体に着脱可能に固定されることを特徴とする。
この構成により、点検、交換及び修理を行う必要が生ずる可能性が比較的高い収納袋装着部について、点検、交換及び修理を容易に行うことができ、メンテナンス性を高めることができる。
【００１４】
また、本発明の物品用収納袋装着装置は、物品に収納袋を装着させる物品用収納袋装着装置であって、前記収納袋を収容し、上部の前記物品の導入部と側部の前記物品の取出部とが連続的に設けられる本体と、前記導入部から導入された前記物品の一部が当接して付勢することにより、回動し、前記収納袋の開口を開放する開放操作部材と、回動した前記開放操作部材を回動前の状態に復元するコイルばねを有し、前記コイルばねのコイル部同士間が相互に離間していることを特徴とする。
この構成により、開放操作部材の回動、又は回動前の状態に復元する際にコイル部同士間の摩擦を低減することができ、コイルばねの耐久性を向上させることが可能となると共に、開放操作部材の回動や復元動作をより一層スムーズにすることができる。
【００１５】
また、本発明の折畳傘用傘袋装着装置は、折畳傘に傘袋を装着させる折畳傘用傘袋装着装置であって、前記傘袋を収容し、上部の前記折畳傘の導入部と側部の前記折畳傘の取出部とが連続的に設けられる本体と、前記導入部から導入された前記折畳傘の先端が当接して付勢することにより、回動し、前記傘袋の開口を開放する開放操作部材と、前記開放操作部材の前記取出部側に立設される前記取出部側に回動可能な羽板と、前記開放操作部材の前記取出部側と逆側に立設される規制板とを有し、前記物品の導入経路上の前記羽板と前記規制板との間の少なくとも最短距離が前記袋の開口の幅よりも小さく設定されていることを特徴とする。前記最短距離は、例えば羽板の軸部と規制板との水平方向の距離等とすることが可能であり、又、この折畳傘用傘袋装着装置には、物品用収納袋装着装置の各発明の構成を適宜適用することが可能である。
この構成により、折畳傘が傘袋の開口に引っ掛かることなく袋をスムーズに装着することが可能となる。
【発明の効果】
【００１６】
本発明の物品用収納袋装着装置は、取出部側に回動可能な羽板と取出部側の逆側に規制板とが開放操作部材に立設され、取出部側に回動した羽板と規制板との水平方向の距離が傘袋の開口の幅よりも小さいことにより、物品に収納袋が装着されるまで物品の嵩張りを規制することができるため、物品が収納袋の開口に引っ掛かることなく収納袋を装着することが可能となる。
【図面の簡単な説明】
【００１７】
【図１】本実施形態の物品用収納袋装着装置である折畳傘用傘袋装着装置を示す全体図。
【図２】本実施形態の折畳傘用傘袋装着装置を示す正面図。
【図３】本実施形態の折畳傘用傘袋装着装置の開放操作部材を示す拡大図。
【図４】本実施形態の折畳傘用傘袋装着装置のコイルばねを説明する説明図。
【図５】（ａ）本実施形態における折畳傘用傘袋装着装置の羽板の回動前状態を示す説明図、（ｂ）本実施形態における折畳傘用傘袋装着装置の羽板の回動後状態を示す説明図
【図６】（ａ）〜（ｃ）本実施形態の傘袋装着部を本体に取付ける手順を説明する説明図。
【図７】本実施形態の変形例の傘袋装着部を説明する説明図。
【図８】本実施形態の変形例の物品用収納袋装着装置を示す全体図。
【発明を実施するための形態】
【００１８】
〔実施形態の物品用収納袋装着装置の構成〕
本発明による実施形態の物品用収納袋装着装置、例えば折畳傘用傘袋装着装置について説明する。図１は、本実施形態の折畳傘用傘袋装着装置を示す全体図である。図２は、本実施形態の折畳傘用傘袋装着装置を示す正面図であり、図３は、本実施形態の折畳傘用傘袋装着装置の開放操作部材を示す拡大図である。
【００１９】
本実施形態の物品用収納袋装着装置である折畳傘用傘袋装着装置１０は、図１、２に示すように、物品である折畳傘１１に収納袋である傘袋１２を装着させるものである。折畳傘用傘袋装着装置１０は、傘袋１２を収容し、上部の折畳傘１１の導入部２１と側部の折畳傘１１の取出部２２とを連続的に設けられる本体２０と、導入部２１から導入された物品の一部、例えば折畳傘１１の先端が当接して付勢することにより、回動し、傘袋１２の開口１２１を開放する開放操作部材３０と、開放操作部材３０の取出部２２側に立設される回動可能な羽板３３と、開放操作部材３０の取出部２２側と逆側に立設される規制板３４とを有する。尚、折畳傘用傘袋装着装置１０は、雨天時に建物の外に設置されることが多く、折畳傘用傘袋装着装置１０各部における錆の発生を防止するため、折畳傘用傘袋装着装置１０の各部はステンレス製、又は樹脂製である。
【００２０】
本体２０は、平面視略コ字形の箱体である。本体２０の上部には、平面視略コ字形の上部カバー２３が設けられる。平面視略コ字形の導入部２１の幅が１４０ｍｍ〜１５０ｍｍ程度、同様に取出部２２の幅は１４０ｍｍ〜１５０ｍｍ程度に設けられる。本体２０の内部には、傘袋１２が傘袋１２の開口１２１が前面になるようにハンガー２４に吊されて複数枚収容され、付勢ばね２５により常時前方へ移動付勢される。尚、本体２０内に収容された傘袋１２は、ハンガー２４に挿通された前面板２４１と後面板２４２との間に挟持される。
【００２１】
付勢ばね２５は、図２に示すように、くの字形状に形成され、連結部２５１を介して本体２０に取り付けられる。付勢ばね２５の上端部は、前面板２４１と後面板２４２とに後方から当接し、傘袋１２の開口１２１を垂直方向から１０°以上１５°以下傾斜させて付勢する。本実施形態において、傘袋１２の開口１２１を垂直方向から１２．４°傾斜させて付勢する。
【００２２】
また、本体２０の内部には、開放操作部材３０を後述するブラケット４１を挟持して固定する固定枠２６が設けられる。固定枠２６は、取出部２２側に設けられた外枠２６１と、ブラケット４１の形状に沿って形成されたＬ字状の内枠２６２と、ブラケット４１を挿入する開口部２６３を有し、開口部２６３から挿入されたブラケット４１を外枠２６１と内枠２６２とにより、ブラケット４１を挟持する。外枠２６１の下端は、ブラケット４１の固定枠２６内への挿入を容易にするため、取出部２２側に屈曲形成される。尚、固定枠２６は、図示省略するが一体的に設けられ、又は溶接等により固着される。
【００２３】
開放操作部材３０は、図３に示すように、折畳傘１１の先端が当接して付勢することにより回動する回転板３１と、回転板３１の先端に設けられ傘袋１２の開口１２１を開放する舌片３２とから構成される。また、開放操作部材３０の取出部２２側に回動可能な羽板３３と取出部２２側の逆側に規制板３４とが立設される。
【００２４】
回転板３１は、平面視略矩形・正面視略コ字形に形成される。回転板３１の一端部は屈曲形成された屈曲部３１１が設けられ、屈曲部３１１はブラケット４１の上端近傍に軸支された第１支軸３１２に、ブラケット４１の内側で第１支軸３１２を中心に回転可能に連結される。第１支軸３１２にはコイルばね３５が巻回され、コイルばね３５の一端が回転板３１の下面を支持し、コイルばね３５の他端がブラケット４１の内面を支持する。回転された回転板３１は、コイルばね３５により弾性復帰し、屈曲部３１１がブラケット４１に設けられた規制軸３１３と当接することにより、回動前の状態、即ち所定の角度傾斜した状態、本実施形態においては水平から傘袋１２の開口１２１に向かって２６°程度傾斜した状態に復元する。尚、回転板３１の幅の長さは８０〜９０ｍｍ程度とすることが好ましい。
【００２５】
コイルばね３５は、回転板３１の下面を支持する一端部３５１と、ブラケット４１の内面を支持する他端部３５２と、コイル部３５３とから構成される。一端部３５１は屈曲形成されると共に、他端部３５２は円状に屈曲形成される。図４に示すように、コイルばね３５のコイル部３５３は相互に離間した状態で形成され、第１支軸３１２に巻回される。本実施形態において、コイル部３５３の相互に離間距離、換言すれば間隙Ｓは０．１ｍｍ程度である。
【００２６】
ブラケット４１は、平らな基面４１１と、基面４１１の両側端縁から回転板３１側に略９０度に屈曲して延設された側端片４１２・４１２と、側端片４１２・４１２から外方に略９０度に屈曲して延設された係合片４１３・４１３と、基面４１１の下端縁からに回転板３１側に略９０度に屈曲して延設された下端片４１４と、下端片４１４から下方に略９０度に屈曲して延設された延在片４１５とを有する。側端片４１２・４１２の上端部は、曲線部４１６が形成される。ブラケット４１は、固定枠２６に挟持されることにより、開放操作部材３０を本体２０に固定する。
【００２７】
舌片３２は、回転板３１の前端近傍に軸支された第２支軸３２１に、回転板３１の内側で舌片３２の後端側部３２２が挿通され、第２支軸３２１を中心に回転可能に連結される。第２支軸３２１には弦巻バネ３２３が巻回され、弦巻バネ３２３の一端が回転板３１の下面で支持され、弦巻バネ３２３の他端が舌片３２の略中央に取り付けられており、舌片３２は弦巻バネ３２３で上方へ回動付勢され、第２支軸３２１を中心に揺動可能に設けられ、舌片３２は最前列の傘袋１２に当接して開口１２１の上側に配置される。図２の２点鎖線の通り、舌片３２は傘袋１２の開口１２１を開放する。尚、舌片３２に傘袋１２の開口１２１を引っ掛けるためのフックを設けてもよい。
【００２８】
羽板３３と規制板３４は、図５に示すように、折畳傘１１の導入経路上の羽板３３と規制板３４との間の少なくとも最短距離、例えば後述する羽板３３の軸部３３２と規制板３４との水平方向の距離Ｗが傘袋１２の開口１２１の幅よりも小さくなるように、回転板３１上に立設される。本実施形態において、羽板３３は、軸部３３２と規制板３４との間の距離が５０ｍｍ〜８０ｍｍ、例えば７５ｍｍ程度となるように設けられる。
【００２９】
羽板３３は、略板状又は略枠状に形成された羽部３３１と、羽部３３１の根本部分で回転板３１上で軸支して設けられた軸部３３２とから構成される。羽部３３１は、通常の状態では上方に向かって拡がるように傾斜して立設しており、本実施形態では垂直方向に対して２０度程度傾斜している。本実施形態では羽部３３１の２０度程度の傾斜状態から７０度程度、即ち垂直方向に対して９０度程度まで倒れることが可能である。
【００３０】
軸部３３２は、回転板３１に設けられた軸受３１４に軸支された第３支軸３３３に挿通され、第３支軸３３３を被覆した部分である。第３支軸３３３は、弦巻バネ３３４が巻回され、回動された羽板３３を回動前の状態に復元させる。また、羽部３３１が取出部２２側に回動した際、回転板３１上で軸支された軸部３３２が、折畳傘１１が導入部２１から導入され、折畳傘１１に傘袋１２が装着される直前まで折畳傘１１の嵩張りを規制して窄めるガイド部として機能する。
【００３１】
軸部３３２は、羽板３３が取出部２２側に回動した状態における軸部３３２の上面３３６と回転板３１の上面３１５との距離を１０ｍｍ以上３０ｍｍ以下と、羽板３３が取出部２２側に回動した状態における軸部３３２の下面３３７と回転板３１の上面３１５との距離を０ｍｍ以上３ｍｍ以下となるように設けられる。本実施形態において、軸部３３２は、軸部３３２の上面３３６と回転板３１の上面３１５との距離が１８ｍｍと、軸部３３２の下面３３７と回転板３１の上面３１５との距離が２ｍｍとなるように配置される。
【００３２】
軸部３３２の導入部２１側の端部に設けられた突出部３３５は、羽板３３が回動前の状態に復元される際、回転板３１と当接することによって、羽板３３を垂直方向に対して２０度程度傾斜した状態で立設させる。
【００３３】
〔実施形態の折畳傘用傘袋装着装置による傘袋装着方法〕
折畳傘用傘袋装着装置１０による折畳傘１１に傘袋１２を装着する方法について、以下説明する。
【００３４】
本体２０の上部に設けられた導入部２１から折り畳んだ状態の折畳傘１１の先端を傘袋１２の方向に向けて導入し、折畳傘１１の先端を回転板３１に当接して折畳傘１１を下方に押し下げると、図２に示す２点鎖線のように、回転板３１が下方に回動される。この際、回転板３１と羽板３３とをガイド部として、折り畳んだ状態の折畳傘１１の嵩張りが規制されて窄められる。図４に示すように、羽板３３の軸部３３２と規制板３１１との水平方向の距離Ｗが傘袋１２の開口１２１の幅よりも小さくなるように、羽板３３が回転板３１上に立設されているため、折畳傘１１が傘袋１２の開口１２１の幅よりも小さく窄められる。また、軸部３３２の導入部２１側の端部に設けられた突出部３３５が、回転板３１と羽板３３との間に折畳傘１１の紐、又は骨部が進入することを防止する。尚、付勢ばね２５により、傘袋１２の開口１２１が垂直方向から１２．４°傾斜されて本体２０内に収容されているため、舌片３２の先端が当接する最前列の傘袋１２の前面を滑るように進入し、最後の一枚まで傘袋１２を容易に開放することができる。
【００３５】
回転板３１の回動により、舌片３２の先端が当接する最前列の傘袋１２の前面を滑るように下方移動して、最前列の傘袋１２の開口１２１内に進入する。折畳傘１１を更に下降させると、回転板３１は更に回動し、舌片３２が開口１２１内に深く進入すると共に傘袋１２前面から離れて開口１２１が広く開放し、折畳傘１１は傘袋１２の奥へ進入する。
【００３６】
羽板３３は、羽板３３の軸部３３２が回転板３１上に軸支して設けられ、軸部３３２を中心として取出部２２側へ回動するため、軸部３３２がガイド部として、折畳傘１１に傘袋１２が装着される直前まで折畳傘１１の嵩張りを規制する。
【００３７】
羽板３３が取出部２２側に回動することにより、折畳傘１１の柄を握った利用者の手まで傘袋１２内に進入できるため、折畳傘１１を傘袋１２の奥まで進入させることが可能となり、傘袋１２が装着された折畳傘１１を利用者が手に持ったまま取出部２２側から取り出すことができる。
【００３８】
傘袋１２が装着された折畳傘１１を取出部２２側から取り出す際、軸部３３２が、軸部３３２の上面３３６と回転板３１の上面３１５との距離が１８ｍｍと、軸部３３２の下面３３７と回転板３１の上面３１５との距離が２ｍｍとなるように配置されるているため、羽板３３に邪魔されたり、又軸部３３２と回転板３１との間隙に利用者の指や折畳傘１１の紐、骨部が挟まれることがなく、傘袋１２が装着された折畳傘１１をスムーズに取り出すことが可能である。
【００３９】
傘袋１２が装着された折畳傘１１が取り出された後、羽板３３は第３支軸３３３に巻回された弦巻バネ３３４の回動付勢により回動前の状態に復元されると共に、回転板３１はコイルばね３５の回動付勢により回動前の状態に復元される。尚、コイルばね３５のコイル部３５３同士間が相互に離間して設けられているため、回転板３１が回動する際のコイル間に生じる摩擦を低減させることが可能となり、コイルばね３５の耐久性が向上する。
【００４０】
〔実施形態の折畳傘用傘袋装着装置の傘袋装着部の取付方法及び取り外し方法〕
また、折畳傘用傘袋装着装置１０は、図６に示すように、開放操作部材３０と羽板３３と規制板３４とから構成される収納袋装着部である傘袋装着部４０を本体２０に対し着脱可能とする構成とすることで、傘袋装着部４０の点検、修理及び交換を容易に行うことができる。以下、傘袋装着部４０の取付方法及び取り外し方法について説明する。
【００４１】
折畳傘用傘袋装着装置１０の本体２０に傘袋装着部４０を取付ける場合、回転板３１をブラケット４１側に回動させつつ、ブラケット４１を把持しながら、ブラケット４１を固定枠２６の開口部２６３から外枠２６１と内枠２６２との間に挿入し、ブラケット４１の曲線部４１６を内枠２６２に当接させ、曲線部３５６を中心として回転させながら垂直上方向へ摺動することにより、ブラケット４１が外枠２６１と内枠２６２との間に挟持され、傘袋装着部４０を容易に且つ確実に本体２０に固定することができる。尚、ブラケット４１と内枠２６２とをボルト等により螺着することにより、傘袋装着部４０をより強固に本体２０に固定することができる。尚、外枠２６１の下端部は、僅かに外側へ屈曲しているため、固定枠２６内にブラケット４１を容易に挿入することができる。
【００４２】
一方、本体２０から傘袋装着部４０を取り外す場合、傘袋装着部４０を取付ける手順の逆の手順、即ちブラケット４１の延在片４１５を回転板３１側に引き出し、ブラケット４１の曲線部４１６を中心としてブラケット４１を回転させながら、ブラケット４１を斜め下方へ移動させることにより、ブラケット４１が外枠２６１と内枠２６２の間から離脱し、本体２０から傘袋装着部４０を取り外すことができる。
【００４３】
本実施形態の折畳傘用傘袋装着装置１０は、羽板３３と規制板３４との少なくとも最短距離の距離が傘袋１２の開口１２の幅よりも小さく設定されているため、折畳傘１１に傘袋１２が装着される直前まで折畳傘１１の嵩張りを確実に規制し続けることができる。また、本実施形態の折畳傘用傘袋装着装置１０は、羽板３３が取出部２２側に回動することにより、折畳傘１１の柄を握った利用者の手まで傘袋１２内に進入できるため、折畳傘１１に傘袋１２を完全に装着できる。
【００４４】
本実施形態の折畳傘用傘袋装着装置１０は、羽板３３の軸部３３２が回転板３１上に軸支して設けられているため、羽板３３の軸部３３２がガイド部として、折畳傘１１の嵩張りを規制することが可能となる。また、本実施形態の折畳傘用傘袋装着装置１０は、取出部２２側に回動した状態における羽板３３の軸部３３２の上面３３６と回転板３１の上面３１５との距離を１８ｍｍとすることにより、傘袋１２が装着された折畳傘１１を取り出す際、羽板３３に邪魔されることがなく、傘袋１２が装着された折畳傘１１を取り出すことができる。また、取出部２２側に回動した状態における羽板３３の軸部３３２の下面３３７と回転板３１の上面３１５との距離を２ｍｍとすることにより、羽板３３の軸部３３２と回転板３１との間隙に利用者の指や折畳傘１１の紐、骨部が挟まれることを防止できる。
【００４５】
本実施形態の折畳傘用傘袋装着装置１０は、回転板３１の回動、又は回動前の状態に復元するコイルばね３５のコイル部３５３同士間を相互に離間、具体的には０．１ｍｍ程度離間させることにより、コイルばね３５のコイル部３５３同士間に生じる摩擦を低減させることができ、コイルばね３５の耐久性を向上させると共に、回転板３１の回動や復元動作をより一層スムーズにすることができる。
【００４６】
本発明の折畳傘用傘袋装着装置１０は、付勢ばね２５により、本体２０内に収容した傘袋１２の開口１２１を垂直方向から１０°以上１５°以下傾斜させて付勢することにより、開放操作部材３０が本体２０内に収容した傘袋１２を最後の一枚まで滑らかに開放することが可能となる。
【００４７】
本実施形態の折畳傘用傘袋装着装置１０は、傘袋装着部４０がブラケット４１を本体２０の固定枠２６に挟持され固定される構成により、傘袋装着部４０を本体２０に着脱可能に固定することができ、傘袋装着部４０の点検、修理及び交換を容易に行うことができる。
【００４８】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記のような変形例も包含される。
【００４９】
本実施形態の折畳傘用傘袋装着装置１０は、羽板３３を回転板３１上に回動可能で設けたが、回動した羽板３３が折畳傘１１の嵩張りを規制する構成であればよく、図７に示すように、取出部２２側の一部を切り欠いた回転板３１ａに羽板３３ａを回動可能で設けることにより、より簡単な構成で羽板３３ａを回動可能とすることが可能となる。回転板３１ａの取出部２２側近傍に軸受３１４に軸支された第３支軸３３３ａに羽板３３ａの軸部３３２ａを挿通する。尚、羽板３３ａの羽部３３１ａが取付部２２側に回動した際、羽板３３ａの軸部３３２ａに折畳傘１１の嵩張りを規制する規制部３３２ｂを設けるとよい。
【００５０】
本発明の物品用収納袋装着装置は、折畳傘に傘袋を装着させるだけでなく、紐靴等に収納袋を容易に装着することも可能である。紐靴に収納袋を装着させる物品用収納袋装着装置は、収納袋を収容し、上部の紐靴の導入部２１と側部の紐靴の取出部２２とが連続的に設けられる本体２０と、導入部２１から導入された紐靴の先端が当接して付勢することにより、回動し、収納袋の開口１２１を開放する開放操作部材３０と、開放操作部材３０の取出部２２側に立設される回動可能な羽板３３と、開放操作部材３０の取出部２２側と逆側に立設される規制板３４とを有し、紐靴の導入経路上の羽板３３と規制板３４との間の少なくとも最短距離を収納袋の開口の幅よりも小さく設定する。この構成により、靴ひもが収納袋から飛び出すことなく、紐靴を収納袋に装着させることができる。
【００５１】
さらに、本発明の物品用収納袋装着装置は、様々な食品、例えば野菜、果物、魚介類及び菓子等に収納袋を容易に装着させることも可能である。図８に示す通り、野菜１１ａに収納袋１２ａを装着させる物品用収納袋装着装置１０ａは、収納袋１２ａを収容し、上部の野菜１１ａの導入部２１と側部の野菜１１ａの取出部２２とが連続的に設けられる本体２０と、導入部２１から導入された野菜１１ａの一部が当接して付勢することにより、回動し、収納袋１２ａの開口１２１を開放する開放操作部材３０と、開放操作部材３０の取出部２２側に立設される回動可能な羽板３３と、開放操作部材３０の取出部２２側と逆側に立設される規制板３４とを有し、野菜１１ａの導入経路上の羽板３３と規制板３４との間の少なくとも最短距離を収納袋１２ａの開口の幅よりも小さく設定する。この構成により、葉もの野菜等の嵩張る野菜１１ａを容易に収納袋１２ａに装着させることが可能となる。また、野菜１１ａに収納袋１２ａを装着する際、野菜１１ａが傷付くことを防止することができる。なお、開放操作部材３０と羽板３３と規制板３４とから構成される収納袋装着部を本体２０に対し着脱可能とすると、収納袋装着部を定期的に洗浄、又は清掃が容易となり、衛生上好ましい。
【産業上の利用可能性】
【００５２】
本発明は、物品用収納袋装着装置として利用することができる。
【符号の説明】
【００５３】
１０…折畳傘用傘袋装着装置  １０ａ…物品用収納袋装着装置  １１…折畳傘  １１ａ…野菜  １２…傘袋  １２ａ…収納袋  １２１…開口  ２０…本体  ２１…導入部  ２２…取出部  ２３…上部カバー  ２４…ハンガー  ２４１…前面板  ２４２…後面板  ２５…付勢ばね  ２５１…連結部  ２６…固定枠  ２６１…外枠  ２６２…内枠  ２６３…開口部  ３０…開放操作部材  ３１、３１ａ…回転板  ３１１…屈曲部  ３１２…第１支軸  ３１３…規制軸  ３１４…軸受  ３１５…上面  ３２…舌片  ３２１…第２支軸  ３２２…後端側部  ３２３…弦巻バネ  ３３、３３ａ…羽板  ３３１、３３１ａ…羽部  ３３２、３３２ａ…軸部  ３３２ｂ…規制部  ３３３…第３支軸  ３３４…弦巻バネ  ３３５…突出部  ３３６…上面  ３３７…下面  ３４…規制板  ３５…コイルばね  ３５１…一端部  ３５２…他端部  ３５３…ばね  ４０…傘袋装着部  ４１…ブラケット  ４１１…基面  ４１２…側端片  ４１３…係合片  ４１４…下端片  ４１５…延在片  ４１６…曲線部
【図１】
2012020753.tif 000003
【図２】
2012020753.tif 000004
【図３】
2012020753.tif 000005
【図４】
2012020753.tif 000006
【図５】
2012020753.tif 000007
【図６】
2012020753.tif 000008
【図７】
2012020753.tif 000009
【図８】
2012020753.tif 000010